(57)【要約】【課題】開口部付近の構造物の隙間から迷光が漏れることを抑制する。【解決手段】映像を表示する表示パネル（１１０）と、表示パネル（１１０）の前面に重畳して配置され、表示パネル（１１０）を保護するカバーパネル（１２０）とを備えており、カバーパネル（１２０）は、少なくとも一部に開口部（１２１）が形成されており、開口部（１２１）には所定の情報の入出力を行うためのデバイス（４００）が設けられており、表示パネル（１１０）のデバイス（４００）に対向する領域において黒色表示を行う。【選択図】図１
2020079897.tif 000002
【特許請求の範囲】
【請求項１】
映像を表示する表示パネルを備えた表示装置であって、
前記表示パネルの前面に重畳して配置され、前記表示パネルを保護するカバーパネルを備えており、
前記カバーパネルは、少なくとも一部に開口部が形成されており、前記開口部には所定の情報の入出力を行うためのデバイスが設けられており、
前記表示パネルの前記デバイスに対向する領域において黒色表示を行うことを特徴とする表示装置。
【請求項２】
前記デバイスは不透明な固定部材によって前記開口部に固定されており、
前記固定部材は、前記デバイスと前記開口部との間の隙間に配置されている、ことを特徴とする請求項１に記載の表示装置。
【請求項３】
前記カバーパネルの前記開口部の周縁における前記表示パネルに対向する面には、光を遮光する遮光領域が形成されていることを特徴とする請求項１または２に記載の表示装置。
【請求項４】
前記デバイスは、ユーザの指紋を検出する指紋センサである、ことを特徴とする請求項１から３までの何れか１項に記載の表示装置。
【請求項５】
少なくとも１つの表示装置と、少なくとも１つの制御装置とを備える電子機器であって、
前記表示装置は、
映像を表示する表示パネルと、
前記表示パネルの前面に重畳して配置され、前記表示パネルを保護するカバーパネルと、を備えており、
前記カバーパネルは、少なくとも一部に開口部が形成されており、前記開口部には所定の情報の入出力を行うためのデバイスが設けられており、
前記表示パネルの前記デバイスに対向する領域において黒色表示を行い、
前記制御装置は、
前記表示パネルに映像を表示するよう制御するとともに前記デバイスから前記情報の入出力を行う、ことを特徴とする電子機器。
【発明の詳細な説明】
【技術分野】
【０００１】
本発明は、電子機器に設けられた表示装置などに関する。
【背景技術】
【０００２】
表示装置を備える電子機器において、該表示装置と同じ側に表示装置とは別のデバイスを設ける構成が従来技術として知られている。例えば、特許文献１には表示ディスプレイを収納する正面側キャビネットの周縁に該表示ディスプレイを覆うカバーパネルを貼り付け、該カバーパネルの領域かつ表示エリア外に押圧式ボタンを配置した構成が開示されている。
【先行技術文献】
【特許文献】
【０００３】
【特許文献１】特開２０１４−９９７０９号公報
【発明の概要】
【発明が解決しようとする課題】
【０００４】
前述のような従来技術は表示エリア外に押圧式ボタンを配置する必要があるため、電子機器の外形寸法を大きくできない場合には表示エリアが小さくなってしまうという問題がある。
【０００５】
このような問題を解決する１つの方法としては、カバーパネルの領域かつ表示エリア内に押圧式ボタンなどのデバイスを配置することが考えられる。これにより、デバイスの位置や大きさを考慮することなく表示パネルの大きさを決定することができるので、例えば、電子機器の一面全体となるような大きさの表示パネルを該電子機器に用いることができる。
【０００６】
しかしながら、デバイスの一部あるいは全部を表示パネルの表示領域の直上に配置した場合、部品のバラつきによっては構造物の隙間から迷光が漏れる可能性があるという別の問題が生じる。
【０００７】
本発明の一態様は、前記の問題点に鑑みて為されたものであり、その目的は、開口部付近の構造物の隙間から迷光が漏れることを抑制することができる表示装置などを実現することを目的とする。
【課題を解決するための手段】
【０００８】
前記の課題を解決するために、本発明の一態様に係る表示装置は、映像を表示する表示パネルを備えた表示装置であって、前記表示パネルの前面に重畳して配置され、前記表示パネルを保護するカバーパネルを備えており、前記カバーパネルは、少なくとも一部に開口部が形成されており、前記開口部には所定の情報の入出力を行うためのデバイスが設けられており、前記表示パネルの前記デバイスに対向する領域において黒色表示を行う構成である。
【０００９】
前記の課題を解決するために、本発明の一態様に係る電子機器は、少なくとも１つの表示装置と、少なくとも１つの制御装置とを備える電子機器であって、前記表示装置は、映像を表示する表示パネルと、前記表示パネルの前面に重畳して配置され、前記表示パネルを保護するカバーパネルと、を備えており、前記カバーパネルは、少なくとも一部に開口部が形成されており、前記開口部には所定の情報の入出力を行うためのデバイスが設けられており、前記表示パネルの前記デバイスに対向する領域において黒色表示を行い、前記制御装置は、前記表示パネルに映像を表示するよう制御するとともに前記デバイスから前記情報の入出力を行う構成である。
【発明の効果】
【００１０】
本発明の一態様によれば、開口部付近の構造物の隙間から迷光が漏れることを抑制することができるという効果を奏する。
【図面の簡単な説明】
【００１１】
【図１】本発明の実施の一形態に係る電子機器の要部構成の一例を示すブロック図である。
【図２】前記電子機器における表示パネル、カバーパネル、および開口部の位置関係の概要を示す模式図である。
【図３】前記電子機器における各種部材の物理的な配置の一例を示す模式図であり、（ａ）はデバイス周辺の断面図であり、（ｂ）は（ａ）のうち、破線で示した領域Ａの拡大図（本発明の実施の一形態に係る表示装置の構造を示す断面図）である。
【図４】変形例の表示装置の構造を示す断面図である。
【発明を実施するための形態】
【００１２】
以下、本発明の一実施形態について、図１〜４を用いて詳細に説明する。
【００１３】
（電子機器の概要）
本実施形態に係る電子機器１の概要について、図２を用いて説明する。図２は、電子機器１（または後述の変形例の電子機器２）における表示パネル１１０、カバーパネル１２０、および開口部１２１の位置関係の概要を示す模式図である。
【００１４】
電子機器１は、映像を表示する表示パネル１１０を備えた、例えばスマートフォンである。そして、電子機器１は表示パネル１１０の前面に重畳して配置され、表示パネル１１０を保護するカバーパネル１２０を備えている。すなわち、表示パネル１１０は全面がカバーパネル１２０によって保護されている。なお、本実施形態では、表示パネル１１０が液晶パネルであるものとして説明するが表示パネル１１０は、液晶パネルに限定されない。
【００１５】
カバーパネル１２０は少なくとも一部に開口部１２１が形成されている。そして開口部１２１には電子機器１で使用する所定の情報の入出力を行うデバイス４００が図示しない固定部材によって固定されている。電子機器１はカバーパネル１２０の開口部１２１に設けられたデバイス４００を用いた情報の入出力を、例えば表示パネル１１０による映像の表示と並列に実行することができる。
【００１６】
デバイス４００は表示パネル１１０の上に重畳して配置されるので、デバイス４００の位置や大きさを考慮することなく表示パネル１１０の大きさを決定することができる。例えば電子機器１の一面全体となるような大きさの表示パネル１１０を電子機器１に用いることができる。このように、本実施形態に係る電子機器１は、表示パネル１１０の配置等について、設計の自由度を従来の構成よりも高くすることができる。
【００１７】
（電子機器の構成）
本実施形態に係る電子機器１（または後述の変形例の電子機器２）の構成について、図１を用いて説明する。図１は、電子機器１の要部構成の一例を示すブロック図である。電子機器１は、表示部１００、制御部２００、および入力部３００を備えており、表示部１００は表示パネル１１０、バックライト１１２、カバーパネル１２０、および接着部材１３０を含んでいる。
【００１８】
カバーパネル１２０には開口部１２１が設けられており、開口部１２１には固定部材１２２およびデバイス４００が設けられている。制御部２００は、表示制御処理部２１０を備えている。
【００１９】
電子機器１は、少なくとも１つの表示部１００と、少なくとも１つの制御部２００とを備える、例えばスマートフォンである。電子機器１はタブレット端末やノートＰＣ等であってもよい。
【００２０】
表示部１００は、電子機器１に備えられた表示装置として機能する、例えば液晶ディスプレイである。表示部１００は映像を表示可能な構成であればどのような構成であってもよく、例えば有機ＥＬディスプレイであってもよい。
【００２１】
表示パネル１１０およびバックライト１１２は、表示制御処理部２１０の制御にしたがって映像を表示することができる。表示パネル１１０は、映像を表示することが可能な構成であれば、液晶パネル、あるいは有機ＥＬパネル等の公知の構成であってもよい。バックライト１１２は、表示パネル１１０が自発光素子で構成されていない、液晶パネルのような装置の場合に設けられ、表示パネル１１０に光を照射するものである。
【００２２】
カバーパネル１２０は、表示パネル１１０の前面に重畳して配置され、表示パネル１１０を保護することができる。表示パネル１１０が表示した映像が見えるように、カバーパネル１２０はガラスやプラスチックといった透明材料から構成されていることが好ましい。カバーパネル１２０は接着部材１３０によって表示パネル１１０の前面に固定されており、カバーパネル１２０の少なくとも一部には開口部１２１が形成されている。
【００２３】
カバーパネル１２０は、開口部１２１の周囲に後述の光を遮光する遮光領域１２３を備えている。遮光領域１２３の詳細については後述する。
【００２４】
接着部材１３０は、表示パネル１１０とカバーパネル１２０とを接着することができる。接着部材１３０は、例えばスマートフォンやタブレット端末等において表示パネルの接着に用いられているＯＣＡ（Optical Clear Adhesive）テープのような、一定の厚みを有し、かつ粘着性を有する透明部材で構成される。
【００２５】
開口部１２１は、カバーパネル１２０の少なくとも一部に形成された開口であり、開口には固定部材１２２によってデバイス４００が固定されている。開口部１２１の位置や大きさに関する制約は特にないが、表示パネル１１０の映像をユーザに違和感なく表示できるよう、開口部１２１とデバイス４００はカバーパネル１２０の端部付近に設けられることが好ましい。
【００２６】
固定部材１２２は、デバイス４００を開口部１２１に固定する不透明な部材である。固定はどのように行ってもよく、図示しないボンドによるものであってもよいし、ねじ止めや溶接といった方法によるものであってもよい。
【００２７】
固定部材１２２は、デバイス４００と開口部１２１との間の隙間に配置されている。不透明な固定部材が隙間に配置されることにより、表示パネル１１０に表示される映像と開口部１２１との境界を明確にすることができる。
【００２８】
後述する遮光領域１２３は、カバーパネル１２０の少なくとも一部に設けられた領域であり、遮光領域１２３に対向する表示パネル１１０の領域を非表示とすることができる。遮光領域１２３は、例えばカバーパネル１２０に黒色印刷として設けられてもよい。また、遮光領域１２３はカバーパネル１２０のうち、接着部材１３０が塗布されていない領域において光を遮断するように設けられることが好ましく、隙間から電子機器１の筐体内部の光が外部に漏れだすこと（迷光の発生）を抑制することができる。
【００２９】
デバイス４００は、固定部材１２２によってカバーパネル１２０の開口部１２１内に設けられる、所定の情報の入出力を行うことができる部材である。デバイス４００は、例えばユーザの指紋を検出する指紋センサであってもよく、所定の情報としては指紋センサが検出した指紋に関するデータ情報であってよく、データ情報が制御部２００との間で送受信される。
【００３０】
前記の構成によれば、電子機器１は表示パネル１１０と指紋センサとを同一面に配置することができる。これにより、例えば、指紋センサを表示パネル１１０とは反対側の面に配置した電子機器とは異なり、電子機器を机上に置いた状態で映像の表示と指紋の検出とを同時に行うことができる。
【００３１】
制御部２００は、電子機器１の各部を統括して制御する制御装置として機能する。制御部２００は入力部３００が受け付けたユーザの操作に応じた指示を生成し、指示に基づいて各部を制御することができる。制御部２００は、デバイス４００との間で情報の送受信を行い、デバイス４００に所定の情報を入出力させることができる。
【００３２】
表示制御処理部２１０は、制御部２００の指示にしたがって、表示パネル１１０およびバックライト１１２の制御を行うことができる。表示パネル１１０は、表示制御処理部２１０により映像を表示するよう制御される。
【００３３】
バックライト１１２は、表示制御処理部２１０により表示パネル１１０の表示の輝度などを制御される。表示制御処理部２１０は、表示パネル１１０のうち、開口部１２１に重畳する領域には映像を表示しないよう表示部１００を制御するようにしてもよい。
【００３４】
入力部３００は、ユーザの操作を受け付けると、受け付けた操作に応じた信号を制御部２００へ送信する入力装置として機能する。入力部３００は、例えば透明部材による、表示パネル１１０と一体に形成されたタッチパネルであってもよいし、物理的なボタン類であってもよい。
【００３５】
（部材配置の具体例）
本実施形態に係る電子機器１におけるデバイス４００周辺の物理的な配置の具体例について、図３の各図を用いて説明する。図３は電子機器１における各種部材の物理的な配置の一例を示す模式図である。図３の（ａ）はデバイス４００周辺の断面図を示し、図３の（ｂ）は図３の（ａ）のうち、破線で示した領域Ａの拡大図を示す。なお、以下の説明においてカバーパネル１２０の面のうち、外界に接する面を表面とし、接着部材１３０および表示パネル１１０に対向する面を裏面とする。
【００３６】
図３の（ａ）を用いてデバイス４００周辺の部材配置について説明する。電子機器１は、開口部１２１が設けられ、かつ所定の厚みを有するカバーパネル１２０を備えている。開口部１２１にはカバーパネル１２０と略等しい厚みを有する固定部材１２２が埋設され、さらに固定部材１２２にデバイス４００が埋設されている。カバーパネル１２０、固定部材１２２、およびデバイス４００は略面一となるように高さが調整されることが好ましいが、例えば誤操作の発生を抑制するためにデバイス４００が奥まって配置されるようにデバイス４００の厚みおよび埋設の深さを調整してもよい。
【００３７】
デバイス４００と固定部材１２２との接合、および固定部材１２２とカバーパネル１２０との接合は、接着部材１３０とは別のボンドによってなされている。ボンドは接着部材１３０のように表示パネル１１０に表示される映像に関する光を透過させる必要がないので、部材同士を強固に接合することができるのであれば不透明な材料で構成されていてもよい。
【００３８】
図３の（ｂ）を用いて表示パネル１１０、カバーパネル１２０、およびデバイス４００の詳細な配置について説明する。図示するように、カバーパネル１２０の開口部１２１には固定部材１２２が配置されており、固定部材１２２にはデバイス４００が埋設されている。
【００３９】
表示パネル１１０のデバイス４００に対向する領域（デバイス４００の直下の領域）は、黒色表示が行われる黒表示部分１１１となっている。このため、表示パネル１１０のデバイス４００に対向する領域（黒表示部分１１１）からの迷光の発生が抑制される。よって、従来、表示パネル１１０のデバイス４００に対向する領域から発生していた迷光が開口部１２１付近の構造物の隙間に達することが無くなるため、開口部１２１付近の構造物の隙間から迷光が漏れることを抑制することができる。なお、Ｒ１およびＲ２は、黒表示部分１１１にて黒表示しない場合において、迷光が通る経路を示す。
【００４０】
また、表示パネル１１０が、有機ＥＬパネルである場合、表示パネル１１０の黒表示部分１１１の画素をオフにすることで、表示パネル１１０の黒表示部分１１１を黒表示とすることができる。
【００４１】
なお、上記の黒表示部分１１１の領域は、デバイス４００、開口部１２１、固定部材１２２等の部品寸法、配置に基づいて、迷光が見られないように適宜決定される。
【００４２】
また、本実施形態では、デバイス４００は不透明な固定部材１２２によって開口部１２１に固定されており、固定部材１２２は、デバイス４００と開口部１２１との間の隙間に配置されている。これにより、固定部材１２２で光を遮断できるので、開口部１２１付近の構造物の隙間から迷光が漏れることをさらに抑制することができる。
【００４３】
また、固定部材１２２におけるカバーパネル１２０側には凹部が形成され、当該凹部には、前記カバーパネル１２０と固定部材１２２とを接着させる接着部材１２４が設けられている。この接着部材１２４を不透明な接着部材で構成することにより、接着部材１２４で光を遮断できるので、開口部１２１付近の構造物の隙間から迷光が漏れることをさらに抑制することができる。
【００４４】
〔変形例〕
次に、図４に基づき、電子機器１の変形例である電子機器２の構成について説明する。本変形例の電子機器２では、カバーパネル１２０の開口部１２１の周縁における表示パネル１１０に対向する面に、光を遮光する遮光領域１２３が形成されている点で電子機器１と異なっている。なお、Ｒ３およびＲ４は、黒表示部分１１１にて黒表示しない場合においての迷光が通る経路を示す。
【００４５】
すなわち、カバーパネル１２０の少なくとも一部には遮光領域１２３が設けられている。例えば、カバーパネル１２０の開口部１２１の周縁における表示パネル１１０に対向する面には、遮光領域１２３が形成されている。すなわち、遮光領域１２３はカバーパネル１２０の裏面側、かつ開口部１２１に埋設された固定部材１２２の周縁部に形成れている。
【００４６】
前記のように遮光領域１２３は、カバーパネル１２０の少なくとも一部に設けられた領域であり、遮光領域１２３に対向する表示パネル１１０の領域を非表示とすることができる。遮光領域１２３は、例えばカバーパネル１２０に黒色印刷として設けられてもよい。
【００４７】
これにより、カバーパネル１２０の表面に形成された遮光領域１２３により光を遮断できるので、開口部１２１付近の構造物の隙間から迷光が漏れることをさらに抑制することができる。
【００４８】
〔まとめ〕
本発明の態様１に係る表示装置は、映像を表示する表示パネルを備えた表示装置であって、前記表示パネルの前面に重畳して配置され、前記表示パネルを保護するカバーパネルを備えており、前記カバーパネルは、少なくとも一部に開口部が形成されており、前記開口部には所定の情報の入出力を行うためのデバイスが設けられており、前記表示パネルの前記デバイスに対向する領域において黒色表示を行う構成である。
【００４９】
前記構成によれば、表示パネルのデバイスに対向する領域において黒色表示を行う。このため、表示パネルのデバイスに対向する領域からの迷光の発生が抑制される。よって、従来、表示パネルのデバイスに対向する領域から発生していた迷光が開口部付近の構造物の隙間に達することが無くなるため、開口部付近の構造物の隙間から迷光が漏れることを抑制することができる。
【００５０】
本発明の態様２に係る表示装置は、前記態様１において、前記デバイスは不透明な固定部材によって前記開口部に固定されており、前記固定部材は、前記デバイスと前記開口部との間の隙間に配置されていることが好ましい。前記構成によれば、不透明な固定部材で光を遮断できるので、開口部付近の構造物の隙間から迷光が漏れることをさらに抑制することができる。
【００５１】
本発明の態様３に係る表示装置は、前記態様１または２において、前記カバーパネルの前記開口部の周縁における前記表示パネルに対向する面には、光を遮光する遮光領域が形成されていることが好ましい。前記構成によれば、カバーパネルの表面に形成された遮光領域により光を遮断できるので、開口部付近の構造物の隙間から迷光が漏れることをさらに抑制することができる。
【００５２】
本発明の態様４に係る表示装置は、前記態様１〜３の何れかにおいて、前記デバイスは、ユーザの指紋を検出する指紋センサであっても良い。前記の構成によれば、電子機器は表示パネルと指紋センサとを同一面に配置することができる。これにより、例えば、指紋センサを表示パネルとは反対側の面に配置した電子機器とは異なり、電子機器を机上に置いた状態で映像の表示と指紋の検出とを同時に行うことができる。
【００５３】
本発明の態様５に係る電子機器は、少なくとも１つの表示装置と、少なくとも１つの制御装置とを備える電子機器であって、前記表示装置は、映像を表示する表示パネルと、前記表示パネルの前面に重畳して配置され、前記表示パネルを保護するカバーパネルと、を備えており、前記カバーパネルは、少なくとも一部に開口部が形成されており、前記開口部には所定の情報の入出力を行うためのデバイスが設けられており、前記表示パネルの前記デバイスに対向する領域において黒色表示を行い、前記制御装置は、前記表示パネルに映像を表示するよう制御するとともに前記デバイスから前記情報の入出力を行う構成である。前記の構成によれば、前記態様１と同様の作用効果を奏する。
【００５４】
〔付記事項〕
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【００５５】
１，２  電子機器
１００  表示部（表示装置）
１１０  表示パネル
１１１  黒表示部分
１１２  バックライト
１２０  カバーパネル
１２１  開口部
１２２  固定部材
１２３  遮光領域
１３０  接着部材
２００  制御部（制御装置）
２１０  表示制御処理部
３００  入力部
４００  デバイス
【図１】
2020079897.tif 000003
【図２】
2020079897.tif 000004
【図３】
2020079897.tif 000005
【図４】
2020079897.tif 000006